(57)【要約】【課題】複数のテナントを備えたノードが複数接続されて構成されるネットワークの昼／夜モード切替方式において、各ノードの複数のテナントの昼／夜モードを同時に切替えて統一する。【解決手段】ネットワーク全体を、昼／夜切替端末を中心として、同一の昼／夜モードの複数テナントが１つのグループとして構成し、各グループに対しては、昼／夜モードの切替を行うことのできる昼／夜切替端末１６（中継台や自動切替装置、特定内線端末など）を接続し、昼／夜切替端末１６がグループ内の全テナントの昼／夜モードを一斉に切り替える。【選択図】　図１
2004112124.tif 000002
【特許請求の範囲】
【請求項１】
複数のテナントを備えたノードが複数接続されて構成されるネットワークの昼／夜モード切替方式において、
前記ネットワーク内に存在する複数の前記テナントによってグループを構成し、各グループに１台の昼／夜切替端末を備えるように所定のノードに前記昼／夜切替端末を接続し、前記昼／夜切替端末によって一斉にグループ単位で前記テナントの昼／夜モードを切り替えることを特徴とするネットワークの昼／夜モード切替方式。
【請求項２】
前記ネットワーク内の全てのノードは、各々昼／夜モード情報及びモード切替時の処理手順をテナント毎に記憶する手段と、前記昼／夜切替端末の情報を記憶する手段とを有していることを特徴とする請求項１記載のネットワークの昼／夜モード切替方式。
【請求項３】
前記昼／夜切替端と接続されたノードは、昼／夜切替端末が設定した昼／夜モード情報を記憶する手段と、昼／夜モード情報を転送するグループに属するテナントを備えたノードの情報を記憶する手段とを有することを特徴とする請求項１乃至２記載のネットワークの昼／夜モード切替方式。
【請求項４】
前記グループ内のテナントの昼／夜モードを所定の周期で自動的に切り替えることを特徴とする請求項１記載のネットワークの昼／夜モード切替方式。
【発明の詳細な説明】
【０００１】
【発明の属する技術分野】
本発明は、ネットワークを構成したノードにおけるテナントの昼／夜モードの切替方式に関する。
【０００２】
【従来の技術】
従来の構内交換機の昼／夜切替方式の一例特開平０２−０９５０６２を図７に示す。制御装置６０９は、内線端末６０１から夜モードまたは昼モードに切替える旨の予め定められている番号がダイヤルされると、そのことを識別し、記憶装置６１０にダイヤルされた番号の示す動作モードを記憶させる。次に記憶装置６１０からモード切替に必要な処理手順を読み出し、ノードのモード切替を実行する。これにより容易に夜／昼モードの切替を行うことができ、中継台等の昼／夜切替装置を設置しないのでコストがかからないようになる。
【０００３】
【発明が解決しようとする課題】
しかしながら、上述した従来技術では、メモリの設定などを含め自ノードの昼／夜切替方式についてしか考慮されていない。そのため複数のノードで構成されたネットワークの場合、以下の問題が発生する。
第１の問題点は昼／夜モードによって規制されるサービスクラスが各ノードで統一するのが難しいことである。その理由は各ノードで昼／夜モード制御を行う為、ネットワーク内の各ノードのモードがノードによって異なり統一出来ない為である。
第２の問題点はテナントのモード情報が万一不一致になった場合、昼／夜モードに関するサービスに長時間不具合が発生してしまう。その理由はモード切替端末が操作を行ったときのみモードを切替えるためである。
【０００４】
そこで、本発明の目的は、ネットワークで接続された各ノードにおいて、複数のテナントの昼／夜モードを同時に切替えて統一することである。
【０００５】
【課題を解決するための手段】
本発明は、複数のテナントを備えたノードが複数接続されて構成されるネットワークの昼／夜モード切替方式において、前記ネットワーク内に存在する複数の前記テナントによってグループを構成し、各グループに１台の昼／夜切替端末を備えるように所定のノードに前記昼／夜切替端末を接続し、前記昼／夜切替端末によって一斉にグループ単位で前記テナントの昼／夜モードを切り替えることを特徴とする。
【０００６】
【発明の実施の形態】
次に、本発明の実施の形態について図面を参照しながら詳細に説明する。
図１は本発明の実施の形態を示すシステム構成図である。ノード１１（１）〜１１（ｎ）は、伝送制御回路１２，１３を備え、伝送制御回路１２には通話信号を伝送する通話信号線１４、伝送制御回路１３には各ノードを制御するための各種制御信号を伝送する制御信号線１５が接続されている。各ノードは、通話信号線１４及び制御信号線１５を介して相互に接続され、ネットワークを構成している。ノード１１（１）〜１１（ｎ）は、テナントテーブルを備え、テナント（１）〜（Ｎ）の昼／夜モード情報を記憶する機能を具備している。
ネットワーク全体は、昼／夜切替端末を中心として、同一の昼／夜モードの複数テナントが１つのグループとして構成される。このようなグループは、ネットワークの中に１〜Ｎ個存在する。各グループに対しては、昼／夜モードの切替を行うことのできる昼／夜切替端末１６（中継台や自動切替装置、特定内線端末など）が接続されている。ネットワーク内の全ノードのメモリに現在のノードの昼／夜モード情報及びモード切替時の処理手順を記憶させたテナントモード情報エリアをテナント毎に確保し、さらに転送元情報（グループ内の昼／夜切替装置の端末番号）を記憶するための転送元情報エリア１１ｃを確保している。
また、昼／夜切替端末を実装しているノード１１（２），１１（ｎ−１）のメモリでは、昼／夜切替端末が設定したモード情報を記憶するための端末情報エリア１１ａを端末毎に確保し、さらに転送先情報（グループ内のノード番号）を記憶するための転送先情報エリア１１ｂを確保している。そして、昼／夜切替端末１６によって、そのグループ内のテナントの昼／夜モード切替を行う。
【０００７】
次に、本発明の実施の形態の動作について、図２，図３を参照しながら説明する。図２は、昼／夜モード切替時の昼／夜切替端末を実装しているノードと転送先のノードの処理を示すフローチャートであり、図３はテナントモード情報の転送処理を示した図である。
まず、昼／夜間切替端末を実装しているノード１１（２）は、自ノード内のテナントモード情報の昼／夜モードを設定する。（Ｓ２０１）
ノード１１（２）はグループ内の転送先のノード番号を転送先情報エリア１１ｂに設定する。（Ｓ２０２）
そして、図３（ａ）に示すように、転送先情報エリア１１ｂから転送先ノードを読み出し、テナントモード情報及び昼／夜切替端末１６の端末番号をノード１１（１）〜１１（ｎ）に転送する。（Ｓ２０３，Ｓ２０４）
こうしてグループ（１）の全てのノードにテナントモード情報及び昼／夜切替端末１６の端末番号の転送が終了したと判断したら、ノード１１（２）のテナントモード情報転送動作は終了する。（Ｓ２０５）
一方、転送先のノード１１（１）〜１１（ｎ）では、テナントモード情報及び昼／夜切替端末１６の端末番号を受信すると、図３（ｂ）に示すように転送元情報エリア１１ｃから端末番号を読み出す。（Ｓ２０６，Ｓ２０７）
読み出した端末番号が受信した端末番号と一致するか判定する。（Ｓ２０８）
一致したとき、テナント（１）〜（Ｎ）のモード情報の昼／夜切替を行い、転送先ノード１１（１）〜１１（ｎ）のグループ（１）内の昼／夜モードを設定する。（Ｓ２０９）
以上の処理によって、各サービスはテナントのグループ毎に設定されたモード情報にしたがって動作するようになる。他のグループ（２）〜（Ｎ）においても同様の処理を行う。これにより各グループ内の昼／夜間モードは統一され、各グループで昼／夜間モードの切替を独立して行うことが出来る。
【０００８】
次に、本発明の第２の実施形態について説明する。
図１のようなシステム構成で各グループの昼／夜切替端末を実装しているノードの端末モード情報エリア１１ａのモードを周期的（例えば１時間毎など）にグループ内のノードに転送して監視し、テナントモード情報のリフレッシュを行う。
第二の実施形態の動作を図４のフローチャートと図５のモード情報の転送処理図を参照しながら説明する。
昼／夜切替端末を実装したノードは自ノード内の端末モード情報エリア１１ａから端末モード情報を定期的に読み出す。（Ｓ４０１）
図５（ａ）に示すように、転送先情報エリア１１ｂからグループ（１）の転送先ノードの情報を読み出す。（Ｓ４０２）
グループ（１）内の各ノードにテナントモード情報及び昼／夜切替端末１６の端末番号を転送する。（Ｓ４０３）
グループ（１）の全てのノードにテナントモード情報及び端末番号の転送が終了したと判断したときノード１１（２）によるテナントモード情報転送動作を終了する。（Ｓ４０４）
転送先のノード１１（１）〜１１（ｎ）では、テナントモード情報受信後、転送元情報エリア１１ｃから端末番号を読み出す。（Ｓ４０５，Ｓ４０６）
転送端末情報エリア１１ｃから読み出された端末番号と転送されてきた端末番号が一致しているかどうかを判断する。（Ｓ４０７）
端末番号が一致しているとき、図５（ｂ）に示すように転送元情報エリア１１ｃから端末番号に対応したテナントテーブルを読み出す。（Ｓ４０８）
このとき、図５（ｂ）に示すように制御されるテナントならテーブル内のモード情報エリアより現在のモードを読み出し、転送されてきたモードとを比較し、異なっていれば、転送されてきたテナントモードに切替える。しかしモード情報が同じならばモード制御は行わず処理を終了する。（Ｓ４０９，Ｓ４１０）
以上の処理によって、周期的に端末のモード情報を各ノードのテナントに転送して監視、リフレッシュを行うことができ、各ノードのモード情報エリアの情報が万一不一致が発生しても一時的なもので、周期的にリフレッシュされ正常なモードとなることを可能にする。
【０００９】
【発明の効果】
第１の効果はネットワークを構成した交換機網内の昼／夜モードに関するグループ内のモードをほぼ同時に切替を統一することが出来る。その理由は昼／夜切替端末を操作することによりモード情報をグループ内のテナントに転送するからである。
第２の効果は昼／夜モードを切替える必要な保守者は各グループに一人で良いことである。その理由は従来のように各ノード毎ではなく、各グループ毎に一台昼／夜切替端末を設置すればグループ内の昼／夜モードを制御できるからである。
第３の効果は各ノードのモード情報エリアの情報が万一不一致が発生しても一時的なもので、周期的にリフレッシュされ正常なモードとなることである。その理由は、周期的に端末のモード情報を各ノードのテナントに転送して監視、リフレッシュを行うことができるからである。
【図面の簡単な説明】
【図１】本発明のシステム構成図である。
【図２】本発明の第１の実施の形態である昼／夜モード切替を示すフローチャート図である。
【図３】本発明の第１の実施の形態のモード情報の転送を示す図である。
【図４】本発明の第２の実施の形態であるリフレッシュ時の昼／夜モード切替を示す図である。
【図５】本発明の第２の実施の形態のモード情報の転送を示す図である。
【図６】従来の昼／夜切替方式を示すシステム構成図である。
【符号の説明】
１１（１）〜１１（ｎ）　ノード
１１ａ　端末モード情報エリア
１１ｂ　転送先情報エリア
１１ｃ　転送元情報エリア
１２，１３　伝送制御回路
１４　通話信号線
１５　制御信号線
１６　昼／夜切替端末
６０１，６０２　内線端末
６０３，６０６　夜間切替回路
６０４　共通線
６０５　通話路
６０７　トーン発生回路
６０８　ダイヤル検出回路
６０９　制御装置
６１０　記憶装置
６１１　共通線
【図１】
2004112124.tif 000003
【図２】
2004112124.tif 000004
【図３】
2004112124.tif 000005
【図４】
2004112124.tif 000006
【図５】
2004112124.tif 000007
【図６】
2004112124.tif 000008